(57)【要約】【課題】オフセット輪転印刷機のインキ乾燥装置において印刷紙に溶剤が付着しないようにする。【解決手段】本発明のオフセット輪転印刷機のインキ乾燥装置２０は、印刷紙面上に付着するインキ１ａを乾燥させる乾燥部２２を具備し、印刷紙１を搬送して乾燥部２２を通過させて印刷紙面上に付着するインキ１ａを乾燥させるオフセット輪転印刷機のインキ乾燥装置２０において、乾燥部２２の出口近傍にホットエアー１７を供給し印刷紙面上に滞留する残留溶剤蒸気を乾燥部２２の内部に吹き戻すための吹き戻し手段６０を備えている。【選択図】      図６
2004330652.tif 000002
【特許請求の範囲】
【請求項１】
印刷紙面上に付着するインキを乾燥させる乾燥部を具備し、印刷紙を搬送して前記乾燥部の内部を通過させて前記印刷紙面上に付着するインキを乾燥させるオフセット輪転印刷機のインキ乾燥装置において、
前記乾燥部の出口近傍にホットエアーを供給し印刷紙面上に滞留する残留溶剤蒸気を前記乾燥部の内部に吹き戻すための吹き戻し手段を備えていることを特徴とするオフセット輪転印刷機のインキ乾燥装置。
【請求項２】
前記吹き戻し手段に供給されるホットエアーは、前記乾燥部の内部でインキの乾燥に使用された後浄化された排気エアーであることを特徴とする請求項１に記載のオフセット輪転印刷機のインキ乾燥装置。
【請求項３】
前記吹き戻し手段に供給するホットエアーの温度を調整する温度調整手段を備えていることを特徴とする請求項１、又は２に記載のオフセット輪転印刷機のインキ乾燥装置。
【請求項４】
前記印刷紙を乾燥部の内部に取り入れるための開口と、
前記乾燥部の内部で乾燥された印刷紙を外部に排出するための開口と、
前記開口近傍を所定の温度以上に保つようにホットエアーを供給するホットエアー供給手段と、
を備えていることを特徴とする請求項１に記載のオフセット輪転印刷機のインキ乾燥装置。
【請求項５】
前記開口近傍は、前記ホットエアー供給手段により供給されるホットエアーにより、前記開口近傍を前記印刷紙面上に滞留する残留溶剤蒸気の析出下限温度以上に保たれることを特徴とする請求項４に記載のオフセット輪転印刷機のインキ乾燥装置。
【請求項６】
請求項１又は請求項２に記載のオフセット輪転印刷機のインキ乾燥装置において、吹き戻し手段がチャンバで覆われ、このチャンバ内にホットエアーが供給されることを特徴とするオフセット輪転印刷機のインキ乾燥装置。
【請求項７】
請求項３に記載のオフセット輪転印刷機のインキ乾燥装置において、前記ホットエアー供給手段がチャンバで覆われ、このチャンバ内にホットエアーが供給されることを特徴とするオフセット輪転印刷機のインキ乾燥装置。
【発明の詳細な説明】
【０００１】
【発明の属する技術分野】
本発明は、オフセット輪転印刷機のインキ乾燥装置に関する。
【０００２】
【従来の技術】
例えば、オフセット輪転印刷機は、ウェブに印刷されたインキを乾燥させるためのドライヤと呼ばれるインキ乾燥装置を備える（特許文献１参照）。
【０００３】
図１及び図２の如く、オフセット輪転印刷機においては、ウェブである印刷紙１の両面に印刷されたインキを乾燥させるため、印刷装置２で印刷された印刷紙１をインキ乾燥装置３内に導入し、熱風であるホットエアー（例えば加熱温度が１６０℃）をノズルから印刷面に吹き付ける。印刷紙に印刷されたインキは、このホットエアーにより熱重合する。ホットエアーを吹き付けられた印刷紙１は、図１に示すように、インキ乾燥装置３を出た後冷却装置４に入り、チルロールと称する冷却ローラ５に接触する。ホットエアーにより加熱され熱重合が進行中のインキは、冷却ローラ５に接触することにより急冷され、紙面に定着する。即ちインキが乾燥し紙面に固着する。
【０００４】
ところが、印刷紙１はインキ乾燥装置３内で６〜９ｍ／ｓｅｃの高速度で走行し、この高速走行する印刷紙１の表面でインキ成分中の溶剤が蒸発するので、図２及び図３に示す如く印刷紙１は溶剤蒸気６が紙面にまとわり付いたままの状態で冷却ローラ５に向かい急速に冷却される。このため、図３に示すように溶剤蒸気６が急冷されて凝縮し、冷却ローラ５の表面に液体溶剤７となって付着する。図４に示すように、この冷却ローラ５に付着した液体溶剤７は紙面に付着し、乾燥した紙面上のインキ１ａを溶かすので、紙面の絵柄８にかすれが発生し、またこの溶けたインキ１ａとインキで汚れた溶剤７が紙面に付着し絵柄８を汚染する。
【０００５】
このように冷却ローラ５の表面に溜まった溶剤は印刷品質を低下させるので、従来専用の洗浄装置で冷却ローラ５を定期的に拭き取るようにしている。しかし、絵柄８のインキ濃度、印刷紙１の紙質等によって溶剤が冷却ローラ５の表面に残留し印刷汚れが発生する場合がある。また、冷却ローラ５を洗浄する場合は一般に印刷機を停止させるので、溶剤の凝縮は印刷効率を低下させる原因ともなる。
【０００６】
図５に従来のインキ乾燥装置の構造を示す。図示のようにインキ乾燥装置３ａは、印刷紙面上に付着するインキを乾燥させる乾燥室１２を備え、印刷紙１を搬送して前記乾燥室１２の内部を通過させて前記印刷紙面上に付着するインキを乾燥させるものである。また、乾燥室１２には、印刷紙面上にホットエアー１３を供給してインキ１ａを乾燥させるためのホットエアーノズル１４を備えている。また、インキ乾燥装置３ａの所定部には印刷紙１を乾燥室１２の内部に取り入れるための入口１５と印刷紙１を排出するための出口１６とを備えている。
【０００７】
この装置を使用すると、図５の部分拡大図に示すように、インキ乾燥装置３ａの入口１５及び出口１６付近から外気１７（冷気）が流入するため、その外気１７によって、入口１５及び出口１６近傍のホットエアーノズル１４の表面、及び入口１５及び出口１６付近の機械構造物（壁体等も含む）が冷却されるとともに、印刷紙面上に滞留する溶剤蒸気が冷却されてホットエアーノズル１４の表面上等において溶剤７が析出するという問題を生じる。
【０００８】
このような溶剤の凝縮を防止するため、図５（Ｂ）に示すように印刷紙１にまとわりついてインキ乾燥装置３ａから出て来る残留溶剤蒸気６を冷却ローラ５に至る前にエアーナイフノズル１８でカットすることが試みられている。
【０００９】
【特許文献１】特開２００２−２３４１３５号公報
【００１０】
【発明が解決しようとする課題】
しかし、このエアーナイフノズル１８は常温のエアーを吹き付けるためインキ乾燥装置３ａの出口付近が冷却され、エアーナイフノズル１８の表面上及び出口付近の機械構造物に溶剤が析出しヤニ垂れを防止することが出来ないという問題点を生じていた。
【００１１】
本発明は、上記問題点を解決することができるオフセット輪転印刷機のインキ乾燥装置を提供することを目的とする。
【００１２】
【課題を解決するための手段】
以下、本発明について説明する。なお、本発明の理解を容易にするために添付図面の参照符号を括弧書きにて付記するが、それにより本発明が図示の形態に限定されるものではない。
【００１３】
本発明は、印刷紙面上に付着するインキを乾燥させる乾燥部（２２）を具備し、印刷紙（１）を搬送して前記乾燥部を通過させて前記印刷紙面上に付着するインキを乾燥させるオフセット輪転印刷機のインキ乾燥装置（２０）において、前記乾燥部の出口近傍にホットエアーを供給し印刷紙面上に滞留する残留溶剤蒸気を前記乾燥部の内部に吹き戻すための吹き戻し手段（６０）を備えていることを特徴とする。
【００１４】
このようにすれば、印刷紙面上に滞留する残留溶剤蒸気を乾燥部の内部に吹き戻すことができるので、従来のように印刷紙面上に滞留する残留溶剤蒸気が次の工程に進む際に例えば冷却ローラにより急速冷却される際に溶剤が析出して印刷紙面が汚損されることを防止できる。
【００１５】
また、前記吹き戻し手段に供給されるホットエアーは、前記乾燥部の内部でインキの乾燥に使用された後浄化された排気エアーであることを特徴とする。
【００１６】
このようにすれば、乾燥部の内部で使用された排気エアーを大気中に排気するためにその排気エアー中の不純物を燃焼除去して清浄化された排気エアーの一部を再度乾燥部に供給することにより乾燥部の内部において溶剤蒸気が飽和状態になることを抑制できる。
【００１７】
また、前記吹き戻し手段に供給するホットエアーの温度を調整する温度調整手段（９０）を備えていることを特徴とする。
【００１８】
このようにすれば、供給するホットエアーを適正な温度で供給することができる。
【００１９】
また、前記印刷紙を乾燥部の内部に取り入れるための開口（３２ａ）と、前記乾燥部内で乾燥された印刷紙を排出するための開口（４５）と、前記開口近傍を所定の温度以上に保つようにホットエアーを供給するホットエアー供給手段（８０ｃ、８０ｄ）と、を備えていることを特徴とする。また、前記開口近傍は、前記ホットエアー供給手段により供給されるホットエアーにより、前記開口近傍を前記印刷紙面上に滞留する残留溶剤蒸気の析出下限温度以上に保たれることを特徴とする。
【００２０】
このようにすれば、印刷紙を取り入れる入口と印刷紙を排出する出口近傍の温度を所定の温度以上に保つことができるので、従来のように、吸入外気（冷気）により、溶剤蒸気の液化下限温度以下に冷却されて析出する溶剤が印刷紙面に落下して印刷紙が汚損されるのを防止することができる。
【００２１】
【発明の実施の形態】
次に、本発明の実施の形態について図面を参照して説明する。
【００２２】
このインキ乾燥装置は例えば図１に示すオフセット輪転印刷機内に従来のインキ乾燥機３に代えて配置される。
【００２３】
このオフセット輪転印刷機は、ウェブである印刷紙１の流れ方向に、給紙装置９、印刷装置２、従来のインキ乾燥機３に代わるインキ乾燥装置２０、冷却装置４、折装置２１を順に備えている。
【００２４】
給紙装置９で巻取紙９ａから繰り出されたウェブである印刷紙１は、印刷装置２の各印刷ユニットを通って表裏に多色印刷され、後に詳しく述べるインキ乾燥装置１１でインキが乾燥され、冷却装置４の多数の冷却ローラ５で冷却された後、折装置２１で所望の形態に折られ切断される。
【００２５】
給紙装置９、印刷装置２、冷却装置４、折装置２１は公知の装置であるからそれらの詳細な説明は省略することとし、インキ乾燥装置２０について詳しく説明する。
【００２６】
図６に示すように、インキ乾燥装置２０は、印刷装置２を通過した印刷紙１のインキを乾燥させるための乾燥室として機能する乾燥部２２と、印刷紙１の印刷面にインキ乾燥用のホットエアーをつくる燃焼室として機能する燃焼部２３と、ホットエアーを清浄化するための処理室として機能する処理部２４と、を階層状に設ける。
【００２７】
この乾燥部２２と燃焼部２３と処理部２４とは、壁体２５により覆われ、各部は仕切壁２６、２６ａにより仕切られて形成されている。
【００２８】
また、乾燥部２２と燃焼部２３とは、ホットエアーを乾燥部２２に供給する供給管２７と乾燥部２２の内部の空気を燃焼部２３に排出する排気管２８と、を介して連絡する。また、供給管２７の一端は、後述する印刷紙面上に付着するインキ１ａを乾燥させるホットエアー供給手段３０と接続される。また、排気管２８は排気ファン２９を備えており、乾燥部２２の内部の空気を排出する。
【００２９】
また、燃焼部２３と処理部２４とは、燃焼部２３の内部の空気を排気する排気管３１を介して連絡する。
【００３０】
印刷装置２を通過した印刷紙１は、この乾燥部２２を通過する。そのため、乾燥部２２を形成する壁体２５の一部は印刷紙１を通過させるための開口３２を有する。この開口３２は、印刷紙１を乾燥室内に取り入れる入口３２ａと、乾燥処理された印刷紙１を排出するための開口３２ｂと、を備える。
【００３１】
乾燥部２２は、印刷紙１の表面及び裏面にインキ乾燥用のホットエアーを供給し印刷紙面上に付着するインキ１ａを乾燥させるホットエアー供給手段３０と、印刷紙１を乾燥室内に取り入れる入口３２ａ近傍にホットエアーを供給し開口３２（入口３２ａ）から流入する冷気を温めるホットエアー供給手段３５と、を備える。
【００３２】
印刷紙面上に付着するインキを乾燥させるホットエアー供給手段３０は、乾燥部２２の内部を通過する印刷紙１の表裏両面に対向するように配置され、この印刷紙１の表裏にホットエアーを吹き掛ける。このホットエアー供給手段３０は、具体的には図６に示すように乾燥部２２において、印刷紙１の表裏面に沿ってマトリックス状に配置されるノズル群を備える。ノズル群の各ノズル３６、３６、・・・、３６の一端は供給管２７と接続され、他端は印刷紙１の表裏面に向かって開口している。燃焼部２２により供給されるホットエアーは、供給管２７を介して各ノズル３６の開口から印刷紙１の表面及び裏面に向かって吹き出される。ノズル３６の列間には開口３７、３７、・・・、３７が設けられ、ノズル３６から吹き出して印刷紙１の印刷面に当たったホットエアーが、その開口３７から乾燥部２２の内部に排気される。また、乾燥部２２の内部に排気されたホットエアーの一部が随時排気ファン２９により排気管２８から燃焼部２３に排気される。
【００３３】
また、乾燥部２２の開口３２ｂ近傍の壁体外部には、所定の空間を有するチャンバ４０と連絡する。
【００３４】
図７に示すように、チャンバ４０は中央に印刷紙を通過させるための開口を有するように上チャンバ４０ａと下チャンバ４０ｂとを備えている。これにより上チャンバ４０ａと下チャンバ４０ｂとの間に所定の空間部４１を有する。上チャンバ４０ａと下チャンバ４０ｂとは一方の端部が回動可能に固定される。具体的には、上下のチャンバ４０は印刷紙１の一側縁に沿った位置でヒンジ４２により連結され、上側のチャンバ４０ａはインキ乾燥装置２０の側壁（壁体２５）に固定され、下側のチャンバ４０ｂが流体圧シリンダ装置４３に連結される。図８（Ａ）のごとく流体圧シリンダ装置４３の作動により下側のチャンバ４０ｂが上側のチャンバ４０ａに重なると、上下のチャンバ４０ａ、４０ｂ間に印刷紙１が挟まれ、同図（Ｂ）のごとく流体圧シリンダ装置４３の逆作動により下側のチャンバ４０ｂが上側のチャンバ４０ａから離れると印刷紙１が解放される。チャンバ４０を同図（Ａ）（Ｂ）の如く開閉操作することにより紙通しをすることができる。
【００３５】
また、図６、図７に示すように、印刷紙１の搬送方向において印刷紙１が排出されるチャンバ４０の端部には、印刷紙１を外部に排出するための開口４５（出口）を備えている。また、乾燥部２２とチャンバ４０の空間部４１とは、壁体２５に設けられた開口３２ｂを介して連通する。また、印刷紙１はチャンバ４０の空間部４１を通過し、開口４５から排出されて次の工程へ搬送される。また、印刷紙１が通過するチャンバ２５の出口近傍には、ホットエアーを供給しチャンバ４０の開口４５から流入する冷気を温めるホットエアー供給手段５０を備える。このホットエアー供給手段５０は、チャンバ４０の内部に設けられる。
【００３６】
また、壁体２５の出口３２ｂの上下に所定間隔を空けて開口３２ｃ、３２ｄを設けてもよい。この開口３２ｃ、３２ｄはチャンバ４０の空間部４１と連絡する。
【００３７】
また、このチャンバ４０の内部には、印刷紙１の面上に滞留する残留溶剤蒸気を乾燥室内に吹き戻す吹き戻し手段６０を備える。また、この吹き戻し手段６０は、望ましくはチャンバ４０の内部に固定される。また、後述するホットエアーを供給するための管体８０ｄ、８０ｅがチャンバに連結される箇所には、上述したチャンバ４０ａ、４０ｂの開閉動作に支障を来たさないようにフレキシブル管４４、４４で形成される。
【００３８】
この吹き戻し手段６０は、例えばスリット状の開口を有するエアーナイフノズル６１、６１が使用される。エアーナイフノズル６１は印刷紙１を横断するように対向して配置される。ホットエアー吹き出し口として機能するエアーナイフノズル６１の先端部は乾燥部２２を形成する壁体２５の外側から乾燥部２２の出口３２ｂに向かって傾斜して設けられる。また、エアーナイフノズル６１は印刷紙１の流れ方向に複数本並べて設けても良い。また、エアーナイフノズル６１に代えて、円形開口を備えたノズルを印刷紙１を横断するように多数配置するようにしてもよい。
【００３９】
また、図６に示すように、燃焼部２３は乾燥部２２の上方に仕切壁１６を介して配置される。この燃焼部２３は、加熱バーナー７１と、空気供給ファン７２と、一方に燃焼補助外気供給口７３ａ、他方に外気取り込み口７３ｂを有する管体７３と、が設けられ、加熱バーナー７１に空気供給ファン７２及び燃焼補助外気供給口７３ａと供給管２７の導入口とが夫々臨んでいる。また、管体７３の外気取り込み口７３ｂ近傍の内部にはダンパー７４が設けられ、このダンパー７４によって燃焼に必要な空気取り込み量を調整する。
【００４０】
燃焼部２３は、排気管２８を介して乾燥部２２の内部から排気された排気エアーと燃焼補助外気取り込み口７３ｂから吸気されたエアーを加熱バーナー７１により一定の高温度に熱してホットエアーをつくる。このホットエアーは供給管２７を介して印刷紙１の上下に多数配列された各ノズル３６に送り込まれる。また、ホットエアーは各ノズル３６から高速で印刷紙１の両面に向かって噴出し、印刷紙１のインキを熱重合させる。インキを加熱した後のホットエアーは上述したように排気ファン２９により排気管２８から燃焼部２３の内部へと帰還し、空気供給ファン７２により加熱バーナー７１へと再び送られ加熱される。
【００４１】
また、処理部２４は、燃焼部２３の上方に仕切壁１６ａを介して配置される。この処理部２４は、燃焼部２３の内部の空気を排気管３１を介して処理部２４の内部に取り込む送気ファン７６と、その送気ファン７６により取り込まれた空気を接続管７７を介して所定の温度のホットエアーをつくる加熱バーナー７８ａを備える熱交換器７８と、熱交換器７８から排出されたホットエアーに含まれる不純物等を脱臭する脱臭装置７９と、その脱臭装置７９により清浄化されたホットエアーを外部に排気、及びその一部を乾燥室２２に戻す管体８０を備えている。即ち、管体８０には、処理部１４によって清浄化されたホットエアーが流れる。また、管体８０は、複数の管体８０ａ、８０ｂ・・・、８０ｆに分岐される。例えば、管体８０ａは、ホットエアーを外部に排気するための排気口８１を備えている。また、例えば、管体８０ｂは、端部に外気取り入れ口８２を備えている。この管体８０ｂの内部にはダンパー８３を備え、このダンパー８３を制御することにより空気の取り込み量を調整し、ホットエアーの温度を下げる調整を行う。
【００４２】
また、他の管体８０ｃ、８０ｄ、８０ｅ、８０ｆの端部は、乾燥室２２の内部の印刷紙１の入口、及び印刷紙１の出口近傍、後述するエアーナイフノズル６１、及びノズル３６に連絡する。また、端部が印刷紙１の出口近傍に配置された管体８０ｄは、印刷紙１の出口近傍にホットエアーが流れるように設けられる。この管体８０ｃ及び８０ｄは、印刷紙１の入口３２ａ及び印刷紙１の出口（開口４５）から流入する外気（冷気）を温め当該入口３２ａ及び出口（開口４５）近傍の温度を所定の温度以上に保つためにホットエアーを供給するホットエアー供給手段５０として機能する。また、管体８０ｃは入口の所定位置に配置され、管体８０ｄはチャンバ４０の内部に固定される。
【００４３】
また、インキ乾燥装置２０は、温度調整手段としての制御部９０を備え、例えば、管体８０ｄの内部にセンサを備え、管体８０ｄの内部を通過するホットエアーの温度を所定の温度に制御するためにダンパー８２を制御させながら外部取り込み口８２から外気を導入させ、処理部２４により清浄化されたホットエアーの温度を所定の温度になるように制御する。また、センサは乾燥室２２の内部やチャンバ４０の内部等に設けられ、乾燥室２２の内部及びチャンバ４０の内部が溶剤蒸気の析出下限温度以上に保つように、ダンパー８２を制御して外部の空気の取り込み量を調整し、管体８０ｃ〜８０ｆを通過するホットエアーの温度を調整するとよい。このホットエアーの温度は、好ましくは１６０℃程度であるとよい。
【００４４】
次に、上記構成のインキ乾燥装置の作用について説明する。
【００４５】
まず、乾燥部２２を通し、図８（Ｂ）に示すように、チャンバ４０ａ、４０ｂを開いて印刷紙１を通し、同図（Ａ）に示すように、再びチャンバ４０ａ、４０ｂを閉じる。これにより、チャンバ４０ａ、４０ｂ及び吹き戻しノズル３０ａ，３０ｂに対する紙通しが完了する。
【００４６】
印刷の開始に当たり、燃焼部２３で加熱バーナー７１等によりホットエアーを作り、このホットエアーを供給管２７を介して乾燥部２２に設けられたノズル３６に供給する。ホットエアーはノズル３６の開口から噴出し高速走行する印刷紙１の表面のインキ１ａを加熱する。ホットエアーによる加熱でインキ中の溶剤が活発に蒸発を開始し、インキ中の樹脂が熱重合を開始し、インキの乾燥が進行する。
【００４７】
一方、印刷面に当たったホットエアーは溶剤蒸気を含んだ状態で排気ファン２９により排気管２８を介して回収され、空気供給ファン７２により再び加熱バーナー７１へと送られ加熱される。また、回収されたホットエアーの一部は処理部２４内に送気ファン７６により排気管３１を介して取り込まれ、脱臭装置７９により浄化された後大気中に放出される。処理部２４で浄化された排気の一部（ホットエアー）は、所定の温度に調整されて各分岐管（管体８０ｃ〜８０ｆ）に夫々供給される。
【００４８】
ホットエアーにより加熱された印刷紙１は乾燥部２２の出口３２ｂを通過し、チャンバ４０の空間部４１を通り、開口４５から排出される。乾燥部２２の出口３２ｂを出た印刷紙１の表面にはインキから発散した溶剤の蒸気がまとわり付いているが、処理部２４から供給される排気エアーの一部（ホットエアー）を吹き戻し手段としてのエアーナイフノズル６１から高速で噴出し、このまとわり付く溶剤の蒸気を印刷紙１の上流側（乾燥部２２）に吹き戻す。吹き戻された溶剤の蒸気はホットエアーと共に出口３２ｂか乾燥部２２の内部に戻る。
【００４９】
これにより、吹き戻し手段６０（エアーナイフノズル６１）は、高速でホットエアーを印刷紙１に吹き付けているので印刷紙面上に滞留する溶剤蒸気を乾燥室２２の内部に戻せる。また、乾燥部２２の内部においても、排気エアーを燃焼部２３、処理部２４に送り、再度ホットエアーを乾燥部２２に送るというようにエアーを循環させているので、吹き戻し手段６０の下流側がより負圧となり、吹き戻し手段６０によっても除去出来なかった微少な残留溶剤蒸気をも乾燥部２２の内部に押し戻せる。
【００５０】
また、エアーナイフノズル６１及び、印刷紙の入口３２ａ、印刷紙の出口（開口４５）近傍は、ホットエアー供給手段としての管体８０ｃ、８０ｄにより処理部２４によって清浄化されたホットエアーが供給され所定の温度（溶剤蒸気の析出下限温度）以上に保たれるように暖められる。
【００５１】
このように、清浄化されたホットエアーをエアーナイフノズル６１及び、搬送される印刷紙１の入口３２ａ、出口４５近傍に供給することにより、エアーナイフノズル６１自体が冷やされることなく、且つ、当該入口３２ａ及び出口４５近傍の温度を溶剤蒸気の析出下限温度以上に保つことができるので、エアーナイフノズル６１の表面及び当該入口３２ａ、出口４５近傍に溶剤が析出することを防ぐことができる。
【００５２】
印刷紙１はその表面から溶剤蒸気を除去された状態でチャンバ４０ａ、４０ｂを出た後、冷却装置４の冷却ローラ５に接触する。これにより、印刷紙１のインキは急冷され紙面に定着する。この冷却段階において印刷紙１の表面からは溶剤蒸気がすでに除去されているので、冷却ローラ５の表面で溶剤蒸気が結露することはなく、従って印刷紙１や絵柄が溶剤によって汚されることはない。
【００５３】
以上に説明したように、オフセット輪転印刷機のインキ乾燥装置２０は、印刷紙面上に付着するインキ１ａを乾燥させる乾燥部２２を具備し、印刷紙１を搬送して乾燥部２２の内部を通過させて印刷紙面上に付着するインキ１ａを乾燥させるオフセット輪転印刷機のインキ乾燥装置２０において、乾燥部２２の出口４５近傍にホットエアーを供給し印刷紙面上に滞留する残留溶剤蒸気を乾燥部２２の内部に吹き戻すためのエアーナイフノズル６１を備えている。また、エアーナイフノズル６１に供給されるホットエアーは、乾燥部２２の内部でインキの乾燥に使用された後浄化された排気エアーである。また、エアーナイフノズル６１に供給するホットエアーの温度を調整する温度調整手段としての制御部９０を備えている。
【００５４】
また、印刷紙１を乾燥部２２の内部に取り入れるための入口３２ａと、乾燥部２２の内部で乾燥された印刷紙１を外部に排出するための出口４５と、この入口３２ａ及び出口４５近傍を所定の温度以上に保つようにホットエアーを供給する管体８０ｃ及び８０ｄと、を備えている。また、入口３２ａ及び出口４５近傍は、管体８０ｃ及び８０ｄにより供給されるホットエアーにより、入口３２ａ及び出口４５近傍を印刷紙面上に滞留する残留溶剤蒸気の析出下限温度以上に保たれる。
【００５５】
また、エアーナイフノズル６１はチャンバ４０で覆われ、このチャンバ４０の内部にホットエアーが供給される。また、搬送される印刷紙１の入口３２ａ及び出口４５近傍にホットエアーを供給する管体８０ｃ、８０ｄはチャンバ４０で覆われ、このチャンバ４０の内部にホットエアーが供給される。
【００５６】
このようにすれば、次の工程（例えば、冷却装置４）での溶剤の結露を防止することができるとともに、エアーナイフノズル６１及び入口３２ａ及び出口近傍における機械構造物の表面での溶剤の結露を防止することができ、結露した溶剤の印刷面への付着による印刷品質の低下を防止することができる。また、ホットエアーの一部を循環させることにより、ホットエアーを作るためのエネルギを節減することができる。
【図面の簡単な説明】
【図１】オフセット輪転印刷機の正面図である。
【図２】従来のインキ乾燥装置の概略図である。
【図３】冷却ローラに溶剤蒸気が結露する状態を示す説明図である。
【図４】冷却ローラで結露した溶剤が印刷紙に付着する状態を示す説明図である。
【図５】従来のインキ乾燥装置を示し、図５（Ａ）はインキ乾燥装置の乾燥部の縦断面図、図５（Ｂ）は吹き戻しノズルで結露した溶剤が印刷紙に付着する状態を示す説明図である。
【図６】本発明に係るインキ乾燥装置を示す縦断面図である。
【図７】本発明に係るインキ乾燥装置の要部を印刷紙の下流側から見た立面図であり、（Ａ）は作動状態、（Ｂ）は停止状態を示す。
【符号の説明】
１  印刷紙
２０  インキ乾燥装置
２２  乾燥部
３２ａ  開口（入口）
４５  開口
６０  吹き戻し手段
８０ｃ、８０ｄ  ホットエアー供給手段（管体）
９０  温度調整手段（制御部）
【図１】
2004330652.tif 000003
【図２】
2004330652.tif 000004
【図３】
2004330652.tif 000005
【図４】
2004330652.tif 000006
【図５】
2004330652.tif 000007
【図６】
2004330652.tif 000008
【図７】
2004330652.tif 000009